【手続補正書】
【提出日】平成16年7月2日(2004.7.2)
【手続補正１】
【補正対象書類名】明細書
【補正対象項目名】請求項３
【補正方法】変更
【補正の内容】
【請求項３】
ペルフルオロエーテル基ＲfとＲf'は、
（ａ）Ｔ−Ｏ（ＣＦ2ＣＦ（ＣＦ3)Ｏ）a（ＣＦＸＯ）b−
（式中ＸはＦまたはＣＦ3、ａとｂは分子量が上記の範囲からなるような整数で、ａ／ｂは１０〜１００の間で、Ｔは請求項２に規定した末端基の１つ）、
（ｂ）Ｔ−Ｏ（ＣＦ2ＣＦ2Ｏ）c（ＣＦ2Ｏ）d（ＣＦ2)zＣＦ2Ｏ）h−
（式中ｃ，ｄとｈは、分子量が上記の範囲であるような整数、ｃ／ｄは０．１〜１０の間であり、ｈ／（ｃ＋ｄ）は０〜０．０５の間であり、ｚは２または３に等しい整数、Ｔは請求項２に規定した末端基の１つ）、
（ｃ）Ｔ−Ｏ(ＣＦ2ＣＦ(ＣＦ3)Ｏ)e(ＣＦ2ＣＦ2Ｏ)f(ＣＦＸＯ)g−
（式中ＸはＦまたはＣＦ3、ｅ，ｆとｇは分子量が上記の範囲であるような整数、ｅ／（ｆ＋ｇ）は０．１〜１０の間であり、ｆ／ｇは２〜１０の間で、Ｔは請求項２で挙げた末端基の１つ）、
（ｄ）Ｔ−Ｏ（ＣＦ2Ｏ）j（ＣＦ2ＣＦ（ＯＲf''）Ｏ）k（ＣＦ（ＯＲf''）Ｏ）l−
（式中Ｒf''は−ＣＦ3、−Ｃ2Ｆ5、−Ｃ3Ｆ7、ｊ，ｋ，ｌは分子量が上記の範囲であるような整数、ｋ＋ｌとｊ＋ｋ＋ｌは少なくとも２に等しく、ｋ／（ｊ＋ｌ）は０．０１〜１０００の間で、ｌ／ｊは０．０１〜１００の間で、Ｔは請求項２で挙げた末端基の１つ）。
（ｅ）Ｔ−Ｏ−（ＣＦ2（ＣＦ2）zＣＦ2Ｏ）s−
（式中ｓは上記した分子量を与えるような整数、ｚは上記と同一意味、Ｔは上記した末端基の１つ）、
（ｆ）Ｔ−Ｏ（ＣＲ4Ｒ5ＣＦ2ＣＦ2Ｏ）j'−
（式中Ｒ4とＲ5は同一または異なって、Ｈ，Ｃｌまたは、ペルフルオロアルキル、ｊ'は分子量が上記範囲であるような整数、Ｔは上記した末端基の１つ）、および
（ｇ）Ｔ−Ｏ（ＣＦ（ＣＦ3）ＣＦ2Ｏ）j''−
（式中ｊ''は上記した分子量を与えるような整数、Ｔは上記した末端基の１つ）、
から選択される請求項１または２による化合物。
【手続補正２】
【補正対象書類名】明細書
【補正対象項目名】請求項５
【補正方法】変更
【補正の内容】
【請求項５】
請求項１〜４の何れか１つによる一般式（Ｉ）の非イオン化合物の、テトラフルオロエチレンポリマー含有の水性ラテックスについての増粘および湿潤もしくは界面活性剤としての使用。
【手続補正３】
【補正対象書類名】明細書
【補正対象項目名】請求項７
【補正方法】変更
【補正の内容】
【請求項７】
一般式（Ｉ）の非イオン化合物の量が、０．１〜２０重量％である請求項６による水性ラテックス。
【手続補正４】
【補正対象書類名】明細書
【補正対象項目名】請求項９
【補正方法】変更
【補正の内容】
【請求項９】
テトラフルオロエチレンポリマーが、テトラフルオロエチレン、ペルフルオロメチルビニルエーテルと１以上のフッ素化モノマーによる熱可塑性コポリマーであり、かつ通常の非イオン界面活性剤が存在するとき、非イオン化合物の量が０．９〜１０重量％の間である請求項８による水性ラテックス。
【手続補正５】
【補正対象書類名】明細書
【補正対象項目名】請求項１１
【補正方法】変更
【補正の内容】
【請求項１１】
テトラフルオロエチレンコポリマーが、
Ａ）ペルフルオロプロパン、ペルフルオロアルキルペルフルオロビニルエーテル、弗化ビニリデン、ヘキサフルオロイソブテン、クロロトリフルオロエチレンとペルフルオロアルキルエチレンから選択された１以上のコモノマーの少量を含有する改質ポリテトラフルオロエチレン、
Ｂ）少なくともペルフルオロアルキルビニルエーテル（ペルフルオロアルキルは１〜６の炭素原子を有する）を０．５〜８モル％含有するテトラフルオロエチレン（ＴＦＥ）熱可塑性コポリマー；またはペルフルオロアルキルビニルエーテルの代わりに、フルオロジオキソール（好ましくは下記Ｄ）３）で定義のもの）を０．５〜８モル％含有するＴＦＥ熱可塑性コポリマー；または４０〜９５モル％のフルオロジオキソール（好ましくは下記Ｄ）３）で定義のもの）とのＴＦＥ非晶質コポリマー、
Ｃ）２〜２０モル％のＣ3〜Ｃ6のペルフルオロオレフィンを含有するテトラフルオロエチレン熱可塑性コポリマー（ペルフルオロビニルエーテル構造を有する他のコモノマーの少量が添加されてもよい）〕、ならびに
Ｄ）０．５〜１３重量％のペルフルオロメチルビニルエーテルと０．０５〜５重量％の下記で形成された基から選択された１以上のフッ素化モノマーを含有するテトラフルオロエチレン熱可塑性コポリマー、
１）ＲFＯ−ＣＦ＝ＣＦ2          （II）
〔式中ＲFは
ｉ）Ｃ2〜Ｃ12のペルフルオロアルキル基、
ii）−（ＣＦ2−ＣＦ（ＣＦ3）−Ｏ）r−（ＣＦ2）r'−ＣＦ3 （III）
（式中ｒは１〜４の間で、ｒ'は０または１〜３）
iii）−Ｚ（ＯＣＦＸ）q（ＯＣＦ2−ＣＦＹ）q'−Ｏ−Ｔ  （IV）
（式中単位（ＯＣＦＸ）と（ＯＣＦ2−ＣＦＹ）は鎖にランダムに分布しており、Ｔ，ＸとＹは上記と同一意味、Ｚは−（ＣＦＸ）−または−（ＣＦ2−ＣＦＹ）−、ｑとｑ'は同一または異なって、０または１〜１０の整数；モノマーの数平均分子量は２００〜２０００）、
iv）−（ＣＦ2−ＣＦＷ−Ｏ）t−（ＣＦ2)2−（Ｏ−ＣＦＷ−ＣＦ2)t'−Ｏ−ＣＦ＝ＣＦ2  （Ｖ）
（式中Ｗは−Ｃｌ，−Ｆまたは−ＣＦ3、ｔとｔ'は０または１〜５の整数）、
ｖ）
【化１】
1998101922.tif 000001
（式中ｕは０または１〜４の整数）〕、
２）ＲFＣＨ＝ＣＨ2              （VII）
（式中ＲFは１）での定義と同一意味）、
３）次式のペルフルオロジオキソール、
【化２】
1998101922.tif 000002
（式中Ｒ3はＣ1〜Ｃ5のペルフルオロアルキル基、Ｘ1とＸ2は同一または異なって、Ｆまたは−ＣＦ3（好ましくはＸ1とＸ2は共にＦ））
から選択される請求項１０による水性ラテックス。
【手続補正６】
【補正対象書類名】明細書
【補正対象項目名】００１０
【補正方法】変更
【補正の内容】
【００１０】
ペルフルオロポリエーテル基の末端基Ｔは、−ＣＦ3、−Ｃ2Ｆ5、−Ｃ3Ｆ7、ＣｌＣＦ2ＣＦ（ＣＦ3）−、ＣＦ3ＣＦＣｌＣＦ2−、ＣｌＣＦ2ＣＦ2−とＣｌＣＦ2−から選択される。
特に、ペルフルオロポリエーテル基ＲfとＲf'は次のものが好ましい。
（ａ）Ｔ−Ｏ（ＣＦ2ＣＦ（ＣＦ3)Ｏ）a（ＣＦＸＯ）b−
（式中ＸはＦまたＣＦ3、ａとｂは分子量が上記の範囲からなるような整数で、ａ／ｂは１０〜１００の間で、Ｔは上記で規定した末端基の１つ）、
（ｂ）Ｔ−Ｏ（ＣＦ2ＣＦ2Ｏ）c（ＣＦ2Ｏ）d（ＣＦ2)zＣＦ2Ｏ）h−
（式中ｃ，ｄとｈは、分子量が上記の範囲であるような整数、ｃ／ｄは０．１〜１０の間であり、ｈ／（ｃ＋ｄ）は０〜０．０５の間であり、ｚは２または３に等しい整数、Ｔは上記に規定した末端基の１つ）、
（ｃ）Ｔ−Ｏ（ＣＦ2ＣＦ（ＣＦ3)Ｏ）e（ＣＦ2ＣＦ2Ｏ）f（ＣＦＸＯ）g−
（式中ＸはＦまたはＣＦ3、ｅ，ｆとｇは分子量が上記の範囲であるような整数、ｅ／（ｆ＋ｇ）は０．１〜１０の間であり、ｆ／ｇは２〜１０の間で、Ｔは上記で挙げた末端基の１つ）、
（ｄ）Ｔ−Ｏ（ＣＦ2Ｏ）j（ＣＦ2ＣＦ（ＯＲf''）Ｏ）k（ＣＦ（ＯＲf''）Ｏ）l−
（式中Ｒf''は−ＣＦ3、−Ｃ2Ｆ5、−Ｃ3Ｆ7、ｊ，ｋ，ｌは分子量が上記の範囲であるような整数、ｋ＋ｌとｊ＋ｋ＋ｌは少なくとも２に等しく、ｋ／（ｊ＋ｌ）は０．０１〜１０００の間で、ｌ／ｊは０．０１〜１００の間で、Ｔは上記で挙げた末端基の１つ）。
（ｅ）Ｔ−Ｏ−（ＣＦ2（ＣＦ2）zＣＦ2Ｏ）s−
（式中ｓは上記した分子量を与えるような整数、ｚは上記と同一意味、Ｔは上記した末端基の１つ）、
（ｆ）Ｔ−Ｏ（ＣＲ4Ｒ5ＣＦ2ＣＦ2Ｏ）j'−
（式中Ｒ4とＲ5は同一または異なって、Ｈ，Ｃｌまたは、ペルフルオロアルキル（例えば１〜４の炭素原子を有する）、ｊ'は分子量が上記範囲であるような整数、Ｔは上記した末端基の１つ）、および
（ｇ）Ｔ−Ｏ（ＣＦ（ＣＦ3）ＣＦ2Ｏ）j''−
（式中ｊ''は上記した分子量を与えるような整数、Ｔは上記した末端基の１つ）。
これらの化合物とその製法は、英国特許第１，１０４，４８２号、米国特許第３，２４２，２１８号、同３，６６５，０４１号、同第３，７１５，３７８号、同第３、６６５、０４１号、同第４、５２３、０３９号、同第５，１４４，０９２号およびヨーロッパ特許第１４８，４８２号に記載されている。
【手続補正７】
【補正対象書類名】明細書
【補正対象項目名】００１３
【補正方法】変更
【補正の内容】
【００１３】
テトラフルオロエチレンコポリマーとしては、特に次のものが挙げられる。
Ａ）ペルフルオロプロパン、ペルフルオロアルキルペルフルオロビニルエーテル、弗化ビニリデン、ヘキサフルオロイソブテン、クロロトリフルオロエチレンとペルフルオロアルキルエチンから選択された１以上のコモノマーの少量（一般に０．０１〜３モル％、好ましくは０．０５〜０．５モル％）を含有する改質ポリテトラフルオロエチレン、
Ｂ）少なくともペルフルオロアルキルビニルエーテル（ペルフルオロアルキルは１〜６の炭素原子を有する）を０．５〜８モル％含有するテトラフルオロエチレン（ＴＦＥ）熱可塑性コポリマー（例えばＴＦＥ／ペルフルオロプロピルビニルエーテル、ＴＦＥ／ペルフルオロメチルビニルエーテル、ＴＦＥ／ペルフルオロエチルビニルエーテルまたはＴＦＥ／ペルフルアルキルエチレンコポリマー）；またはペルフルオロアルキルビニルエーテルの代わりに、フルオロジオキソール（好ましくは下記Ｄ）３）で定義のもの）を０．５〜８モル％含有するＴＦＥ熱可塑性コポリマー；または４０〜９５モル％のフルオロジオキソール（好ましくは下記Ｄ）３）で定義のもの）とのＴＦＥ非晶質コポリマー、
Ｃ）２〜２０モル％のＣ3〜Ｃ8のペルフルオロオレフィンを含有するテトラフルオロエチレン熱可塑性コポリマー〔例えばＴＦＥ／コポリマー／ヘキサフルオロプロペン（ペルフルオロビニルエーテル構造を有する他のコモノマーの少量（５モル％以下）が添加されてもよい）〕、
Ｄ）０．５〜１３重量％のペルフルオロメチルビニルエーテルと０．０５〜５重量％の下記で形成された基から選択された１以上のフッ素化モノマーを含有するテトラフルオロエチレン熱可塑性コポリマー、
１）ＲFＯ−ＣＦ＝ＣＦ2            （II）
〔式中ＲFは
ｉ）Ｃ2〜Ｃ12のペルフルオロアルキル基、
ii）−（ＣＦ2−ＣＦ（ＣＦ3）−Ｏ）r−（ＣＦ2）r'−ＣＦ3 （III）
（式中ｒは１〜４の間で、ｒ'は０または１〜３）
iii）−Ｚ（ＯＣＦＸ）q（ＯＣＦ2−ＣＦＹ）q'−Ｏ−Ｔ  （IV）
（式中単位（ＯＣＦＸ）と（ＯＣＦ2−ＣＦＹ）は鎖にランダムに分布しており、Ｔ，ＸとＹは上記と同一意味、ｚは−（ＣＦＸ）−または−（ＣＦ2−ＣＦＹ）−、ｑとｑ'は同一または異なって、０または１〜１０の整数；モノマーの数平均分子量は２００〜２０００）、
iv）−（ＣＦ2−ＣＦＷ−Ｏ）t−（ＣＦ2)2−（Ｏ−ＣＦＷ−ＣＦ2)t'−Ｏ−ＣＦ＝ＣＦ2  （Ｖ）
（式中Ｗは−Ｃｌ，−Ｆまたは−ＣＦ3、ｔとｔ'は０または１〜５の整数）、
ｖ）
【手続補正８】
【補正対象書類名】明細書
【補正対象項目名】００１５
【補正方法】変更
【補正の内容】
【００１５】
（式中ｕは０または１〜５の整数）〕、
２）ＲFＣＨ＝ＣＨ2          （VII）
（式中ＲFは１）での定義と同一意味）、
３）次式のペルフルオロジオキソール、